(57)【要約】【課題】創作者の技量によらず一定の創作レベルが確保でき、かつ創作バリエーションの展開により高度の創作性が発揮できるビーズアクセサリー手法を提供する。【解決手段】ビーズアクセサリー１は、中央部に配置される第１ビーズ４と、第１ビーズ４を平面的に取り囲む第２ビーズ群５と、第２ビーズ群５を更に平面的に取り囲む第３ビーズ群６とから構成される、花をモチーフとしたデザインを基本ユニット２とし、第２ビーズ群５は第１ビーズ４に連結され、第３ビーズ群６は第２ビーズ群６に連結され、さらに、複数の基本ユニット２は、花をモチーフとした基本ユニット集合体３を形成する。【選択図】図１
2012095898.tif 000002
【特許請求の範囲】
【請求項１】
複数のビーズを用いて装飾品を創作するビーズアクセサリー手法において、
中央部に配置される第１のビーズと、第１のビーズを平面的に取り囲む第２のビーズ群と、第２のビーズ群を更に平面的に取り囲む第３のビーズ群とから構成される、花をモチーフとしたデザインを基本ユニットとし、第２のビーズ群は糸により第１のビーズに連結され、第３のビーズ群は糸により第２のビーズ群に連結されることを特徴とするビーズアクセサリー手法。
【請求項２】
請求項１に記載のビーズアクセサリー手法であって、第１のビーズ、第２のビーズ群、及び第３のビーズ群はそれぞれ色彩の異なるビーズからなることを特徴とするビーズアクセサリー手法。
【請求項３】
請求項１又は２に記載のビーズアクセサリー手法であって、第２のビーズ群は６個であり、第３のビーズ群は１２個であり、２個の第３のビーズが糸により１個の第２のビーズに連結されることを特徴とするビーズアクセサリー手法。
【請求項４】
請求項１乃至３のいずれか１に記載のビーズアクセサリー手法であって、複数の基本ユニットは、糸により複数の穴を有する台座にそれぞれ固定されることで花をモチーフとした基本ユニットの集合体を形成することを特徴とするビーズアクセサリー手法。
【請求項５】
請求項１乃至４のいずれか１に記載のビーズアクセサリー手法であって、複数の基本ユニットをそれぞれ構成する第１のビーズ、第２のビーズ群、及び第３のビーズ群は、相互に色彩が異なることを特徴とするビーズアクセサリー手法。
【発明の詳細な説明】
【技術分野】
【０００１】
本発明は、ビーズアクセサリー手法に係り、特に、複数のビーズをアレンジしてアクセサリーを創作するビーズアクセサリー手法に関する。
【背景技術】
【０００２】
ビーズなどの装飾用アイテムを用いて、例えば、ペンダント、ブレスレット、ラリエットなどの装飾品がアクセサリーデザイナーにより創作されている。これらの装飾品は、デザイナーの芸術性や美的感性により創作され、芸術的な工芸品としての価値を有する場合がある。
【０００３】
また、このような装飾品の創作を趣味として習得したいという需要があり、いわゆる趣味のサークルや手芸教室などが人気を呼んでいる。更には、アクセサリーデザイナーに憧れてアトリエを構え、プロ作家としてデビューを目指すものも少なくない。
【０００４】
特許文献１には、様々なアクセサリーに変化する装飾品とその使用方法が開示されている。ここでは、１個を組んだときの内周が手の小指回り程の長さで、美しく、華やかなアクセサリーとして必要な玉部と、テグスで編んだビーズ等の伸縮性を利用した帯部と、玉部と繋ぐ環部とからなるパーツを数本組むことにより、指輪、ブレスレット、アンクレット、チョーカー、ネックレス等々のファッション性の高い様々なデザインやサイズのアクセサリーに変化させることが記載されている。
【先行技術文献】
【特許文献】
【０００５】
【特許文献１】実用新案登録第３０８３５６６号公報
【発明の概要】
【発明が解決しようとする課題】
【０００６】
ビーズなどの装飾用アイテムを用いた装飾品の創作は、デザイナーの芸術性や美的感性に大きく依存するため、このような装飾品の創作を趣味として習得させるには、誰が創作しても一定のレベルが確保できるような手法が必要となる。
【０００７】
しかし、そのような手法は、創作者が高度の創作性を発揮できるだけのバリエーションを展開できない場合には、創作意欲が減退してしまう。また、アクセサリーデザイナーに憧れてアトリエを構え、プロ作家としてデビューを目指す者を引き付けることができない。
【０００８】
本願の目的は、かかる課題を解決し、創作者の技量によらず一定の創作レベルが確保でき、かつ創作バリエーションの展開により高度の創作性が発揮できるビーズアクセサリー手法を提供することである。
【課題を解決するための手段】
【０００９】
上記目的を達成するため、本発明に係るビーズアクセサリー手法は、複数のビーズを用いて装飾品を創作するビーズアクセサリー手法において、中央部に配置される第１のビーズと、第１のビーズを平面的に取り囲む第２のビーズ群と、第２のビーズ群を更に平面的に取り囲む第３のビーズ群とから構成される、花をモチーフとしたデザインを基本ユニットとし、第２のビーズ群は糸により第１のビーズに連結され、第３のビーズ群は糸により第２のビーズ群に連結されることを特徴とする。
【００１０】
上記構成により、ビーズアクセサリー手法は、第１のビーズ、第２のビーズ群、及び第３のビーズ群という３種類のビーズにより花をモチーフとしたデザインを基本ユニットとするという手法を採用する。この手法により、誰が創作しても一定の創作レベルが確保できる。すなわち、３種類のビーズにより花をモチーフとしたデザインを簡易に創作でき、デザイン的な特徴を有することができる。
【００１１】
また、ビーズアクセサリー手法は、第１のビーズ、第２のビーズ群、及び第３のビーズ群がそれぞれ色彩の異なるビーズからなることが好ましい。これにより、３種類のビーズの色彩により創作バリエーションを展開して高度の創作性を発揮することができる。
【００１２】
また、ビーズアクセサリー手法は、第２のビーズ群が６個であり、第３のビーズ群が１２個であり、２個の第３のビーズが糸により１個の第２のビーズに連結されることが好ましい。これにより、誰が創作しても一定の創作レベルが確保できる基本ユニットを容易に設定することができる。
【００１３】
また、ビーズアクセサリー手法は、複数の基本ユニットが、糸により複数の穴を有する台座にそれぞれ固定されることで花をモチーフとした基本ユニットの集合体を形成することが好ましい。これにより、基本ユニットを組み合わせたバリエーションを展開することができ、高度の創作性を発揮することができる。
【００１４】
さらに、ビーズアクセサリー手法は、複数の基本ユニットをそれぞれ構成する第１のビーズ、第２のビーズ群、及び第３のビーズ群が、相互に色彩が異なることが好ましい。これにより、基本ユニットごとに色彩を選択することにより創作バリエーションを展開して高度の創作性を発揮することができる。
【発明の効果】
【００１５】
以上のように、本発明に係るビーズアクセサリー手法によれば、創作者の技量によらず一定の創作レベルが確保でき、かつ創作バリエーションの展開により高度の創作性が発揮できるビーズアクセサリー手法を提供することができる。
【図面の簡単な説明】
【００１６】
【図１】本発明に係るビーズアクセサリー手法を用いて創作されたペンダント（Ｐｅｎｄａｎｔ）の一つの例を示す説明図である。
【図２】本発明に係るビーズアクセサリー手法を用いて創作されたブレスレット（Ｂｒａｃｅｌｅｔ）の一つの例を示す説明図である。
【図３】本発明に係るビーズアクセサリー手法を用いて創作されたラリエット（Ｌａｒｉａｔ）の一つの例を示す説明図である。
【図４】本発明に係るビーズアクセサリー手法を用いて創作されたドロップ・チョーカー（Ｄｒｏｐ  ｃｈｏｋｅｒ）の一つの例を示す説明図である。
【図５】本発明に係るビーズアクセサリー手法を用いて創作されたベリー・チョーカー（Ｂｅｒｒｙ  ｃｈｏｋｅｒ）の一つの例を示す説明図である。
【図６】本発明に係るビーズアクセサリーの基本ユニットの製作方法を示す説明図である。
【図７】本発明に係るビーズアクセサリーの基本ユニットの集合体の製作方法を示す説明図である。
【発明を実施するための形態】
【００１７】
（ビーズアクセサリー手法の実施形態）
以下に、図面を用いて本発明に係るビーズアクセサリー手法の実施形態につき、詳細に説明する。図１に、本発明に係るビーズアクセサリー手法を用いて創作されたペンダント（Ｐｅｎｄａｎｔ）２０の一つの例を示す。図１（ａ）は、ペンダント２０の平面図であり、図１（ｂ）は、ビーズアクセサリー１の基本ユニット２を示す平面図である。ビーズアクセサリー１の基本ユニット２は、中央部に配置される第１ビーズ４と、第１ビーズ４を平面的に取り囲む第２ビーズ群５と、第２ビーズ群５を更に平面的に取り囲む第３ビーズ群６とから構成される。そして、後述するように、第２ビーズ群５は第１ビーズ４に連結され、第３ビーズ群６は第２ビーズ群５に連結される。このようにして、３種類のビーズを環状に配置することで花をモチーフとしたデザインが基本ユニット２として形成される。
【００１８】
図１（ｂ）に示すビーズアクセサリー１の基本ユニット２においては、第１ビーズ４は１個であり、第２ビーズ群５は６個であり、第３ビーズ群６は１２個であるが、それぞれの個数はこれに限らず、個数のバリエーションがあっても良い。そして、これらの第１のビーズ、第２のビーズ群、及び第３のビーズ群はそれぞれ色彩の異なるビーズからなる。これにより、３種類のビーズの色彩により創作バリエーションを展開して高度の創作性を発揮することができる。
【００１９】
図１（ａ）のペンダント２０は、この花をモチーフとした基本ユニット２をベースに創作される。すなわち、４個の基本ユニット２を集合させた基本ユニット集合体３を創作し、これをバチカン８によりチェーン７に接続させてペンダント２０とする。チェーン７には長さ調節をするアジャスター９が設けられても良い。このように、第１ビーズ４、第２ビーズ群５、及び第３ビーズ群６の個数と配置を設定することで、花をモチーフとしたシンプルで単純化されたデザインが形成され、このデザインを用いて容易に図１（ａ）のペンダント２０を創作することができる。
【００２０】
また、図２に、本発明に係るビーズアクセサリー手法を用いて創作されたブレスレット（Ｂｒａｃｅｌｅｔ）２１の例を示す。このブレスレット２１では、５個の基本ユニット２をライン部ビーズ１２で環状に連結する。また、図３に、本発明に係るビーズアクセサリー手法を用いて創作されたラリエット（Ｌａｒｉａｔ）２２の例を示す。このラリエット２２では、６種類のビーズの色彩の異なる基本ユニット２Ａ〜２Ｆを組み合わせて創作される。このように、各基本ユニット２の第１ビーズ３、第２ビーズ群４、及び第３ビーズ群５の色彩を変えることで、創作バリエーションを展開して高度の創作性を発揮することができる。各基本ユニット２には、葉っぱビーズ１１を取り付けることでデザインのバリエーションが展開される。また、ライン部ビーズ１２には、竹ビーズ１０を取り付けても良い。
【００２１】
図４に、本発明に係るビーズアクセサリー手法を用いて創作されたドロップ・チョーカー（Ｄｒｏｐ  ｃｈｏｋｅｒ）２３の一つの例を示す。ここでは、９個の基本ユニット２と５個の基本ユニット集合体３とが組み合わされ、創作バリエーションが展開される。また、基本ユニット２と基本ユニット集合体３とには、葉っぱビーズ１１が取り付けられ、デザインのバリエーションが展開される。また、図５に、本発明に係るビーズアクセサリー手法を用いて創作されたベリー・チョーカー（Ｂｅｒｒｙ  ｃｈｏｋｅｒ）２４の一つの例を示す。ここでは、線状に連続する基本ユニットと５個の基本ユニット集合体３とが組み合わされ、創作バリエーションが展開される。また、基本ユニット２と基本ユニット集合体３とには、葉っぱビーズ１１が取り付けられ、デザインのバリエーションが展開される。
【００２２】
図１〜図５に示すように、本発明に係るビーズアクセサリー手法は、第１ビーズ４、第２ビーズ群５、及び第３ビーズ群６の個数と配置からなる基本ユニット２を設定することで、花をモチーフとしたシンプルで単純化されたデザインが形成され、このデザインを用いて容易に図１（ａ）のペンダント２０を創作することができる。すなわち、創作者の技量によらず一定の創作レベルが確保できる。また、基本ユニット２或いは基本ユニット集合体３の組み合わせにより容易に高度の創作性が発揮できる。さらには、第１ビーズ４、第２ビーズ群５、及び第３ビーズ群６の色彩、葉っぱビーズ１１などによりバリエーションの展開が可能になる。
【００２３】
（ビーズアクセサリー基本ユニットの製作手順）
図６に、本発明に係るビーズアクセサリー１の基本ユニット２の製作方法を示す。図６（ａ）に示すように、まずテグス（糸）１４を半分に折りくせをつける。次に、図６（ｂ）に示すように、第１ビーズ４から編み始め第２ビーズ群５を第１ビーズ４にテグス（糸）５により連結する。そして、図６（ｃ）に示すように、全ての第２ビーズ群５を第１ビーズ４にテグス（糸）１４により連結させる。さらに、図６（ｄ）に示すように、２個の第３ビーズ群６を１個の第２ビーズ群５にテグス（糸）１４により連結する。そして、図６（ｅ）に示すように、全部のビーズにテグス（糸）１４を通し終えたら、例えば、葉っぱビーズ１１などを編み込む。これにより、ビーズアクセサリー１の基本ユニット２が製作される。
【００２４】
また、図７に、本発明に係るビーズアクセサリー１の基本ユニット集合体３の製作方法を示す。まず、図１（ｂ）に示す完成された基本ユニット２を図７（ａ）に示すように、シャワーパーツ（台座）１５の穴に長短２本のテグス（糸）１４を通して裏面で固結びをする。そして、図７（ｂ）に示すように、長いほうのテグス（糸）１４を３番目の穴から表に出す。さらに、図７（ｃ）に示すように、もう一つの基本ユニット２を製作し、テグス（糸）１４を４番目の穴に通して５番目の穴から表に出す。そして、図７（ｄ）に示すように、６つの基本ユニット２をシャワーパーツ（台座）１５に編みつける。図７（ｅ）に示すように、全部の基本ユニット２をシャワーパーツ（台座）１５に編み終えたら、例えば、葉っぱビーズ１１などを編み込む。最後に、図７（ｆ）に示すように、残ったテグス（糸）１４の中心の穴にファイアーポリッシュ１３を取り付ける。これにより、ビーズアクセサリー１の基本ユニット集合体３が製作される。
【符号の説明】
【００２５】
１  ビーズアクセサリー、２，２Ａ〜２Ｅ  基本ユニット、３  基本ユニット集合体、４  第１ビーズ、５  第２ビーズ群、６  第３ビーズ群、７  チェーン、８  バチカン、９  アジャスター、１０  竹ビーズ、１１  葉っぱビーズ、１２  ライン部ビーズ、１３  ファイアーポリッシュ、１４  テグス（糸）、１５  シャワーパーツ（台座）、２０  ペンダント、２１  ブレスレット、２２  ラリエット、２３  ドロップ・チョーカー、２４  ベリー・チョーカー。
【図１】
2012095898.tif 000003
【図２】
2012095898.tif 000004
【図３】
2012095898.tif 000005
【図４】
2012095898.tif 000006
【図５】
2012095898.tif 000007
【図６】
2012095898.tif 000008
【図７】
2012095898.tif 000009